(57)【要約】【課題】定量の内容物を被塗布部に塗布することができる塗布容器を提供する。【解決手段】塗布容器１は、内容物が収容される容器本体１１と、内容物が吐出されるステム２２、容器本体内に連通するシリンダ２３、および、シリンダ内にステム軸Ｏ方向に摺動可能に配設されるとともに、ステムのステム軸方向の移動に連係するピストン２４を有する吐出器２１と、ステム内に連通可能な貯留室５７を有する液溜部５６と、貯留室に連通する保持空間７８を有する保持部７７、および保持空間に回転可能に保持された回転塗布体７９を備えた中栓部材７６と、を備え、保持空間には、回転塗布体に係合する係合体８２が配設され、貯留室には、貯留室とステム内との連通およびその遮断を切替える弁体７１と、弁体および係合体を互いがステム軸方向に離反するように付勢する付勢体７２と、が配設され、弁体、係合体、および付勢体が一体に形成されている。【選択図】図１
2018090261.tif 000002
【特許請求の範囲】
【請求項１】
内容物が収容される容器本体と、
前記内容物が吐出されるステム、前記容器本体内に連通するシリンダ、および、前記シリンダ内にステム軸方向に摺動可能に配設されるとともに、前記ステムの前記ステム軸方向の移動に連係するピストンを有する吐出器と、
前記ステムから前記ステム軸方向に沿った前記ステムの外部側に向けて延び、前記ステム内に連通可能な貯留室を有する液溜部と、
前記液溜部から前記外部側に向けて延び、前記貯留室に連通する保持空間を有する保持部、および前記保持空間に回転可能に保持されるとともに、前記外部側の外端部が前記保持部内から前記外部側に突出した回転塗布体を備えた中栓部材と、を備え、
前記保持空間には、前記回転塗布体のうち、前記ステム軸方向に沿った前記ステムの内部側の内端部に係合する係合体が配設され、
前記貯留室には、前記貯留室と前記ステム内との連通およびその遮断を切替える弁体と、前記弁体と前記係合体とを前記ステム軸方向に連結し、かつ、前記弁体および前記係合体を互いが前記ステム軸方向に離反するように付勢する付勢体と、が配設され、
前記弁体、前記係合体、および前記付勢体が一体に形成されていることを特徴とする塗布容器。
【請求項２】
前記貯留室の内面には、前記保持空間内と前記貯留室内とを連通する連通孔が形成され、
前記貯留室には、前記保持空間内と前記貯留室内とを連通させた状態で、前記貯留室の内面における前記連通孔の開口周縁部に当接および離反する調節体が配設され、
前記調節体は、前記弁体、前記係合体、および前記付勢体と一体に形成されていることを特徴とする請求項１に記載の塗布容器。
【発明の詳細な説明】
【技術分野】
【０００１】
本発明は、塗布容器に関する。
【背景技術】
【０００２】
従来、内容物が収容される容器本体と、容器本体に連通する保持空間を有する保持部と、保持空間に回転可能に保持されるとともに、容器軸方向に沿う容器本体の外部側の外端部が保持部内から前記外部側に突出した回転塗布体と、を備えた塗布容器が知られている。
【先行技術文献】
【特許文献】
【０００３】
【特許文献１】特開２０１２−２３２７７６号公報
【発明の概要】
【発明が解決しようとする課題】
【０００４】
しかしながら、前記従来の塗布容器では、定量の内容物を被塗布部に塗布することが困難であるという問題があった。
【０００５】
本発明は、このような問題点に鑑みてなされたものであって、定量の内容物を被塗布部に塗布することができる塗布容器を提供することを目的とする。
【課題を解決するための手段】
【０００６】
上記課題を解決するために、この発明は以下の手段を提案している。
本発明の塗布容器は、内容物が収容される容器本体と、前記内容物が吐出されるステム、前記容器本体内に連通するシリンダ、および、前記シリンダ内にステム軸方向に摺動可能に配設されるとともに、前記ステムの前記ステム軸方向の移動に連係するピストンを有する吐出器と、前記ステムから前記ステム軸方向に沿った前記ステムの外部側に向けて延び、前記ステム内に連通可能な貯留室を有する液溜部と、前記液溜部から前記外部側に向けて延び、前記貯留室に連通する保持空間を有する保持部、および前記保持空間に回転可能に保持されるとともに、前記外部側の外端部が前記保持部内から前記外部側に突出した回転塗布体を備えた中栓部材と、を備え、前記保持空間には、前記回転塗布体のうち、前記ステム軸方向に沿った前記ステムの内部側の内端部に係合する係合体が配設され、前記貯留室には、前記貯留室と前記ステム内との連通およびその遮断を切替える弁体と、前記弁体と前記係合体とを前記ステム軸方向に連結し、かつ、前記弁体および前記係合体を互いが前記ステム軸方向に離反するように付勢する付勢体と、が配設され、前記弁体、前記係合体、および前記付勢体が一体に形成されていることを特徴としている。
【０００７】
この発明によれば、ステムおよびピストンが、シリンダの内側に向けて押し込まれるように、容器本体と、液溜部および中栓部材と、をステム軸方向に相対的に移動させると、シリンダ内の一定量の内容物が、ステム内を通して貯留室内に向けて流動することで、付勢体の付勢力に抗して弁体を作動させ、ステム内と貯留室内とを連通させ、貯留室に貯留される。その後、付勢体の復元力により弁体が復帰し、ステム内と貯留室内との連通が遮断される。そして、回転塗布体の外端部が下方を向くように塗布容器を傾ける等すると、貯留室内の内容物が保持空間に流入する。この状態で、回転塗布体の外端部を被塗布部に押し当てつつ回転塗布体を回転させることで、保持空間内の内容物を回転塗布体の外端部に至らせ、被塗布部に塗布する。この際、回転塗布体が、付勢体の付勢力に抗して係合体を貯留室側に押し込むこととなり、ステム内と貯留室内との連通が弁体により確実に遮断される。
【０００８】
以上のように、ステムおよびピストンを、シリンダの内側に向けて押し込むことで、一定量の内容物が貯留室内に貯留され、弁体によりステム内と貯留室内との連通が遮断されるので、塗布する内容物の量を確実に定量にすることができる。
しかも、塗布時に、回転塗布体が、付勢体の付勢力に抗して係合体を貯留室側に押し込むものの、弁体によりステム内と貯留室内との連通が遮断されていて、貯留室の内圧が変動することがないので、例えば貯留室内の内容物が保持空間内に意図せず大量に流出したりすること等を防ぐことが可能になり、定量の内容物を被塗布部に塗布することができる。
【０００９】
また、上記の塗布容器において、前記貯留室の内面には、前記保持空間内と前記貯留室内とを連通する連通孔が形成され、前記貯留室には、前記保持空間内と前記貯留室内とを連通させた状態で、前記貯留室の内面における前記連通孔の開口周縁部に当接および離反する調節体が配設され、前記調節体は、前記弁体、前記係合体、および前記付勢体と一体に形成されていてもよい。
この発明によれば、回転塗布体を介して係合体を貯留室側に押し込むこと等により、貯留室の内面における連通孔の開口周縁部と調節体とを当接させたり離反させたりすることができる。これにより、貯留室内から連通孔を通して保持空間内に至る内容物の流量を調節することが可能になり、内容物が保持空間内に大量に流出するのをより確実に抑制することができる。
【発明の効果】
【００１０】
本発明の塗布容器によれば、定量の内容物を被塗布部に塗布することができる。
【図面の簡単な説明】
【００１１】
【図１】本発明の第１実施形態の塗布容器における一部を破断した側面図である。
【図２】同塗布容器の作用を説明する一部を破断した側面図である。
【図３】同塗布容器の作用を説明する一部を破断した側面図である。
【図４】同塗布容器の作用を説明する一部を破断した側面図である。
【図５】本発明の第２実施形態の塗布容器における側面の断面図である。
【図６】同塗布容器の作用を説明する側面の断面図である。
【図７】同塗布容器の作用を説明する側面の断面図である。
【図８】同塗布容器の作用を説明する側面の断面図である。
【図９】同塗布容器の作用を説明する側面の断面図である。
【発明を実施するための形態】
【００１２】
（第１実施形態）
以下、本発明に係る塗布容器の第１実施形態を、図１から図４を参照しながら説明する。
図１に示すように、本実施形態の塗布容器１は、内容物が収容される容器本体１１と、内容物が吐出されるステム２２を有する吐出器２１と、ステム２２内に連通可能な貯留室５７を有する液溜部５６と、貯留室５７に連通する保持空間７８を有する保持部７７、および保持空間７８に回転可能に保持された回転塗布体７９を備えた中栓部材７６と、を備えている。
【００１３】
ここで、容器本体１１は有底筒状に形成され、液溜部５６および保持部７７は筒状に形成されている。容器本体１１、ステム２２、液溜部５６、保持部７７、および回転塗布体７９それぞれの中心軸は、共通軸と同軸に配置されている。以下では、共通軸をステム軸Ｏといい、ステム軸Ｏに沿う方向を上下方向という。上下方向のうち、回転塗布体７９側を上方（外部側）といい、容器本体１１の底部側を下方（内部側）という。塗布容器１を上下方向から見て、ステム軸Ｏに直交する方向を径方向といい、ステム軸Ｏ回りに周回する方向を周方向という。
【００１４】
口部１２の外周面には、雄ねじが形成されている。
容器本体１１内に収容される内容物としては特に限定されるものではないが、例えば液体状の内容物等が挙げられる。
【００１５】
吐出器２１は、いわゆるポンプ式で容器本体１１内の内容物を一定量吐出するものである。吐出器２１は、内部が容器本体１１内に連通するとともに容器本体１１に固定されたシリンダ２３と、シリンダ２３に対して上下方向に移動可能に立設された前述のステム２２と、シリンダ２３内に上下方向に摺動可能に配設されたピストン２４と、を有する。
シリンダ２３は、環状の取付けフランジ２７と、取付けフランジ２７の内周縁から下方に向けて延びる基筒部２８と、基筒部２８の下端縁から径方向内側に向けて突出した環状の段部２９と、段部２９の内周縁から下方に向けて延びる嵌合筒３０と、を備えている。
【００１６】
取付けフランジ２７は、封止部材３２を介して容器本体１１の口部１２の上端開口縁上に配置されている。封止部材３２は、例えばゴム製のシートで環状に形成されている。
段部２９の内周縁には、上方に向けて突出する環状の弁座３４が配設されている。基筒部２８の下端部内には、逆止弁３５が配設されている。逆止弁３５は、弁座３４上に上方に向けて離反可能に着座された弁本体を備える。逆止弁３５は、図示の例ではいわゆる三点弁となっているが、これに限られず例えば１点弁等であってもよい。
逆止弁３５は、段部２９の内側を通して、嵌合筒３０内から基筒部２８内への内容物の移動を許容するとともに、基筒部２８内から嵌合筒３０内への内容物の移動を規制する。嵌合筒３０内には、容器本体１１内の内容物を吸い上げる吸上筒３６が嵌合されている。
【００１７】
ステム２２は、上ステム３８および下ステム３９を備えている。上ステム３８のうち、下端部３８ａの外径および内径は、他の部分よりも大きい。
下ステム３９は、上ステム３８内のうち、下端部３８ａよりも上方に位置する部分に嵌合され、上ステム３８から下方に突出している。下ステム３９は有底筒状に形成され、その下端部に、径方向外側に向けて突出する環状の着座部３９ａが形成されている。下ステム３９において着座部３９ａに着座部３９ａの上方から連なる部分に、下ステム３９の内外を連通させる連通孔３９ｂが形成されている。
上ステム３８および下ステム３９の各下端部は、シリンダ２３の基筒部２８内に配置されている。
【００１８】
上ステム３８の上端部には、筒状の上部受け体４０が外嵌されている。シリンダ２３の上端部内に、筒状の下部受け体４１が嵌合されている。下部受け体４１の上端開口縁には、環状溝４１ａが形成されている。環状溝４１ａは、ステム軸Ｏと同軸に形成されている。下部受け体４１の上端開口縁には、径方向外側に向けて突出する環状のフランジ４１ｂが形成されている。下部受け体４１の内側に、上ステム３８が相対的に上下動可能に挿入されている。
【００１９】
上部受け体４０と下部受け体４１との間には、コイルバネ４２が配設されている。コイルバネ４２のうち、上端部は、上部受け体４０の上端部に形成されたフランジの下面に支持され、下端部は、下部受け体４１の環状溝４１ａに配置されている。
コイルバネ４２の内側に、ステム２２が配置されている。コイルバネ４２は、上部受け体４０および下部受け体４１を互いが上下方向に離反するように付勢する。
コイルバネ４２の付勢力により、ステム２２は、シリンダ２３に対して上方に向けて付勢された状態で、シリンダ２３に対して下方に向けて移動可能に配設されている。
【００２０】
ピストン２４は、シリンダ２３内に上下方向に摺動可能に嵌合されている。ピストン２４は、下ステム３９の着座部３９ａの上面に上方に向けて離反可能に着座している。これにより、シリンダ２３内においてステム２２およびピストン２４よりも下方に位置するシリンダ内空間Ｓ１とステム２２内との連通を遮断している。
上ステム３８の下端部３８ａとピストン２４との間には、上下方向の隙間Ｓ２が設けられている。ピストン２４は、ステム２２の上下方向の移動に伴って上下方向に移動する。
【００２１】
吐出器２１は、容器本体１１の口部１２に装着された装着キャップ４５を有している。装着キャップ４５は、容器本体１１の口部１２に螺着された大径部４６と、大径部４６の上端部から径方向内側に向けて突出する環板部４７と、環板部４７から上方に向けて突出する小径部４８と、を有する。
大径部４６の内周面には、容器本体１１の雄ねじに螺合する雌ねじが形成されている。環板部４７は、小径部４８よりも径方向内側に突出している。
装着キャップ４５の環板部４７の内周縁と、シリンダ２３の取付けフランジ２７の内周縁と、は、下部受け体４１のフランジ４１ｂを上下方向に挟んでいる。
容器本体１１の口部１２に装着キャップ４５が装着されることで、容器本体１１にシリンダ２３および下部受け体４１が固定されている。
【００２２】
液溜部５６は、有底筒状に形成され、ステム２２から上方に向けて延びている。液溜部５６の内側が、ステム２２内に連通する貯留室５７となっている。貯留室５７の内容積は、シリンダ内空間Ｓ１の内容積以上である。また、内容物の塗布量や塗布容器１の使用性等に応じて、シリンダ内空間Ｓ１の内容積が貯留室５７の内容積を超えない範囲でそれぞれの内容積を適宜変更可能である。
液溜部５６の周壁部６２のうち、上端部６２ａの外径および内径は、他の部分よりも大きい。液溜部５６の底壁部６３には、ステム２２内と貯留室５７内とを連通する第１連通孔６３ａが形成されている。底壁部６３には、底壁部６３における第１連通孔６３ａの開口周縁部から下方に向けて延びる嵌合筒６４が設けられている。嵌合筒６４は、ステム２２内に嵌合されている。ステム２２の上端開口縁が、液溜部５６の底壁部６３の下面に当接している。
【００２３】
底壁部６３の外周縁部には、下方に向けて延びる案内筒６５が設けられている。案内筒６５の外径は、装着キャップ４５の小径部４８の内径よりも小さい。案内筒６５の下端部は、小径部４８の上端部内に配置されている。
【００２４】
保持部７７は有底筒状に形成され、液溜部５６から上方に向けて延びている。保持部７７の内側が、貯留室５７内に連通する保持空間７８となっている。保持部７７の周壁部の内径は、球状を呈する回転塗布体７９の外径と同等である。保持部７７の周壁部のうち、下端および上端それぞれにおけるステム軸Ｏ方向に直交する方向の内径は、回転塗布体７９の外径よりも小さい。
保持部７７の周壁部における下端部の内面には、上方に向けて突出する支持部８１が配設されている。支持部８１は、保持部７７の周壁部内に全周にわたって配設されている。
回転塗布体７９は、支持部８１により回転塗布体７９の下方から支持されている。回転塗布体７９の上端部が、保持部７７内から上方に突出している。
【００２５】
保持部７７の底壁部には、保持空間７８内と貯留室５７内とを連通する第２連通孔（連通孔）７７ａが形成されている。第２連通孔７７ａおよび前述の第１連通孔６３ａは、ステム軸Ｏ上に形成されている。
【００２６】
保持部７７の底壁部には、径方向外側に向けて突出する環状の蓋板部６０が形成されている。蓋板部６０の外径は、液溜部５６の外径よりも大きい。蓋板部６０および保持部７７の底壁部は、液溜部５６の上部開口を覆っている。この蓋板部６０、および液溜部５６の周壁部６２は、使用者が塗布容器１を上下方向に圧縮しても変形しない程度の硬さの材料で形成されている。
蓋板部６０の外周縁には、下方に向けて延びる大径壁部６８が全周にわたり配設されている。大径壁部６８の下端部には、径方向内側に向けて突出した第１係合部が形成されている。
蓋板部６０において、大径壁部６８よりも径方向内側に位置する部分には、下方に向けて突出する筒状の小径壁部６９が形成されている。小径壁部６９は、液溜部５６の上端部６２ａ内に嵌合されている。
【００２７】
保持部７７の周壁部における上下方向の中間部の外面と、蓋板部６０の上面と、は、上下方向に向けて延びる補強リブ８３により連結されている。補強リブ８３における径方向の外端線は、上下方向に沿って直線状に延びている。補強リブ８３は、表裏面が周方向を向く板状に形成されている。補強リブ８３は、周方向に間隔を空けて複数配置されている。
【００２８】
貯留室５７には、弁体７１と、弁体７１と後述する係合体８２とを上下方向に連結する付勢体７２と、保持部７７の底壁部の下面における第２連通孔７７ａの開口周縁部に当接および離反する調節体７３と、が配設されている。弁体７１は、第１連通孔６３ａ内に挿入された軸状部７１ａと、軸状部７１ａの上端部から径方向外側に向けて突出した弁本体７１ｂと、を備えている。弁本体７１ｂの外周縁部は、底壁部６３の上面に全周にわたって当接する。
弁本体７１ｂが底壁部６３の上面に全周にわたって当接すると、貯留室５７内とステム２２内との連通が遮断される。弁本体７１ｂの周方向の少なくとも一部が底壁部６３の上面から上方に離反すると、貯留室５７内とステム２２内とが連通する。
このように、弁体７１は、貯留室５７内とステム２２内との連通およびその遮断を切替える。
【００２９】
付勢体７２は、径方向に開口する環状に形成されている。付勢体７２の下端部は、弁体７１の軸状部７１ａに連結されている。付勢体７２の上端部は、係合体８２の下端部に連結されている。付勢体７２は、弁体７１および係合体８２を互いが上下方向に離反するように付勢する。
調節体７３は、係合体８２から径方向外側に向けて突出している。調節体７３の上面には、径方向に向けて延びるスリット７３ａが周方向に間隔を空けて複数形成されている。各スリット７３ａは、調節体７３の外周面で開口している。後述するようにキャップ体１０１のリング突条１０５により回転塗布体７９が下方に押圧された状態では、付勢体７２は上下方向に圧縮変形し、調節体７３は保持部７７の底壁部の下面における第２連通孔７７ａの開口周縁部から下方に離反している。
【００３０】
保持空間７８には、回転塗布体７９に係合する係合体８２が配設されている。係合体８２は、上下方向に沿って延びる棒状を呈している。係合体８２の外面には、上下方向に沿って延びるスリット８２ａが周方向に間隔を空けて複数形成されている。各スリット８２ａの上端部は、保持空間７８内で開口している。各スリット８２ａの下端部は、調節体７３のスリット７３ａの径方向内側の端部に接続されている。
調節体７３が保持部７７の底壁部の下面における第２連通孔７７ａの開口周縁部に下方から当接していても、貯留室５７内と保持空間７８内とは、調節体７３のスリット７３ａおよび係合体８２のスリット８２ａを通して連通している。
係合体８２には、保持部７７の底壁部の下面における第２連通孔７７ａの開口周縁部から調節体７３が一定以上離反しないように、保持部７７の底壁部に上方から係止する抜け止め部８２ｂが形成されている。
係合体８２の上端部は、回転塗布体７９の下端部に係合する。弁体７１、付勢体７２、調節体７３、および係合体８２は、一体に形成されている。
【００３１】
本実施形態では、容器本体１１および吐出器２１は、外殻筒８６で覆われている。外殻筒８６は、容器本体１１および装着キャップ４５の径方向外側に配置された筒状の大径部８７と、大径部８７の上端開口縁から径方向内側に向けて突出する環状の第１段差部８８と、第１段差部８８の内周縁から上方に向けて延びる筒状の小径部８９と、小径部８９の上端開口縁から径方向内側に向けて延びる環状の第２段差部９０と、を有している。
大径部８７の下端部には、大径部８７を径方向に貫通する第１窓孔８７ａが形成されている。第１窓孔８７ａは、大径部８７の下端開口縁から上方に所定の長さ延びている。大径部８７の下端部内には、環状の底蓋９２が嵌合されている。底蓋９２には、底蓋９２を上下方向に貫通する第２窓孔９２ａがステム軸Ｏ上に形成されている。第２窓孔９２ａは、大径部８７の第１窓孔８７ａに連通する。第１窓孔８７ａおよび第２窓孔９２ａで、窓孔９３を構成する。
【００３２】
小径部８９の外周面には、雄ねじが形成されている。
第２段差部９０の内周縁は、液溜部５６の上端開口縁に連結されている。第２段差部９０の外周縁には、径方向外側に突出する第２係合部が形成されている。第２段差部９０の上面は、蓋板部６０の下面における大径壁部６８と小径壁部６９との間の部分に下方から当接している。
第２段差部９０の第２係合部は、大径壁部６８の第１係合部に第１係合部の上方から係合している。
【００３３】
中栓部材７６の上方は、キャップ体１０１で覆われている。キャップ体１０１は、天壁部１０２および周壁部１０３を備える有頂筒状に形成されている。天壁部１０２の下面には、下方に向けて突出するリング突条１０５が配設されている。リング突条１０５の外径は、回転塗布体７９の外径よりも小さい。リング突条１０５は、回転塗布体７９の上端部を下方に押圧している。回転塗布体７９が押圧されることで、回転塗布体７９が支持部８１に圧接するとともに、係合体８２および調節体７３が保持部７７および液溜部５６に対して下方に移動する。この際、係合体８２と一体になった付勢体７２が、上下方向に圧縮変形する。
天壁部１０２の下面には、リング突条１０５を径方向外側から囲う当接部材１０６が配設されている。リング突条１０５および当接部材１０６は、ステム軸Ｏと同軸に配設されている。当接部材１０６の外径は、保持部７７の外径よりも大きい。当接部材１０６の下端部は、蓋板部６０の上面に当接している。
周壁部１０３の下端部の内周面には、外殻筒８６の雄ねじに螺合する雌ねじが形成されている。
塗布容器１の各構成は、例えば樹脂等により形成されている。
【００３４】
次に、以上のように構成された塗布容器１の作用について説明する。予め、容器本体１１、吸上筒３６、シリンダ２３、およびステム２２の内部は内容物で充填されていて、貯留室５７および保持空間７８の内部に内容物は無いものとする。
外殻筒８６に対してキャップ体１０１をステム軸Ｏ回りに回転させ、外殻筒８６の雄ねじとキャップ体１０１の雌ねじとの螺合を解除することで、図２に示すように外殻筒８６からキャップ体１０１を取外す。これにより、回転塗布体７９がキャップ体１０１のリング突条１０５により下方に押圧されなくなることで、付勢体７２が復元変形し、回転塗布体７９、係合体８２、および調節体７３が上方に移動する。この際、調節体７３が、保持部７７の底壁部の下面における第２連通孔７７ａの開口周縁部に当接する。
【００３５】
次に、使用者は、図３に示すように、容器本体１１を押し込み、ステム２２およびピストン２４が、シリンダ２３の内側に向けて押し込まれるように、容器本体１１と、液溜部５６および中栓部材７６と、を上下方向に相対的に移動させる。
具体的には、手で外殻筒８６を保持した状態で、外殻筒８６の窓孔９３から指等を挿入し、外殻筒８６に対して容器本体１１を上方に押し込む。容器本体１１とともにシリンダ２３、ピストン２４、および下部受け体４１が、液溜部５６および中栓部材７６に対して上方に移動する。コイルバネ４２は、上部受け体４０と下部受け体４１との間で上下方向に圧縮される。
【００３６】
まず、ピストン２４が上ステム３８の下端部３８ａに下端部３８ａの下方から当接し、ステム２２に対してピストン２４が上方に移動するのが規制され、シリンダ内空間Ｓ１とステム２２内とが連通する。ステム２２およびピストン２４に対してシリンダ２３および下部受け体４１が上方に移動し、シリンダ内空間Ｓ１の内容積が図２の状態に比べて小さくなる。逆止弁３５によりシリンダ内空間Ｓ１内の内容物は基筒部２８内から嵌合筒３０内へ移動するのが規制されるため、シリンダ内空間Ｓ１内の内容物は、下ステム３９の連通孔３９ｂから下ステム３９内を上方に向けて流動する。上ステム３８内および第１連通孔６３ａ内を流動した内容物は、付勢体７２の付勢力に抗して弁体７１を上方に移動させ、ステム２２内と貯留室５７内とを連通させる。シリンダ内空間Ｓ１の内容積が少なくなった分の一定量の内容物が、貯留室５７内に流入し貯留される。
装着キャップ４５の小径部４８が、液溜部５６の案内筒６５により上下方向に案内される。
【００３７】
容器本体１１を押し込むのを止めると、コイルバネ４２の弾性力により、図２に示すように、液溜部５６および中栓部材７６に対して容器本体１１が下方に移動する。付勢体７２の復元力により弁体７１が復帰し、ステム２２内と貯留室５７内との連通が遮断される。
ここで、液溜部５６および中栓部材７６に対して容器本体１１が下方に移動する過程において、まず、シリンダ２３とともにピストン２４がステム２２に対して下方に移動することで、下ステム３９の着座部３９ａの上面にピストン２４が着座し、シリンダ内空間Ｓ１とステム２２内との連通を遮断するとともに、ステム２２に対してピストン２４が下方に移動するのが規制された状態になる。その後、シリンダ２３がステム２２およびピストン２４に対して下方に移動し、シリンダ内空間Ｓ１の内容積が図３の状態に比べて大きくなる。
この際、逆止弁３５により嵌合筒３０内から基筒部２８内への内容物の移動は許容されているため、容器本体１１内の内容物は、吸上筒３６を通してシリンダ内空間Ｓ１内に流入する。
【００３８】
続いて、図４に示すように、皮膚等の被塗布部Ａに内容物を塗布するために、回転塗布体７９の上端部が下方を向くように塗布容器１を傾ける。貯留室５７内の内容物が、調節体７３のスリット７３ａおよび係合体８２のスリット８２ａを通して保持空間７８に流入する。
さらに、回転塗布体７９の上端部を被塗布部Ａに押し当てると、係合体８２が貯留室５７側に向けて押し込まれ、付勢体７２が上下方向に弾性変形しながら、調節体７３が貯留室５７側に向けて移動する。
ここで、回転塗布体７９の上端部を被塗布部Ａに押し当てると、回転塗布体７９が、付勢体７２の付勢力に抗して係合体８２を貯留室５７側に押し込むこととなり、ステム２２内と貯留室５７内との連通が弁体７１により確実に遮断される。
一方で、調節体７３が保持部７７の底壁部の下面における第２連通孔７７ａの開口周縁部から離反する。これにより、貯留室５７内の内容物が、保持部７７の底壁部と調節体７３との間の隙間を通って係合体８２のスリット８２ａに流入することで、貯留室５７内の内容物が保持空間７８に流入しやすくなる。
【００３９】
塗布容器１を被塗布部Ａの表面に沿って移動させると、保持部７７内で回転塗布体７９が回転し、保持空間７８内の内容物が回転塗布体７９の上端部に至り被塗布部Ａに塗布される。貯留室５７および保持空間７８内の内容物が無くなるまで塗布することで、被塗布部Ａに定量の内容物が塗布される。
【００４０】
以上説明したように、本実施形態の塗布容器１によれば、ステム２２およびピストン２４を、シリンダ２３の内側に向けて押し込むことで、一定量の内容物が貯留室５７内に貯留され、弁体７１によりステム２２内と貯留室５７内との連通が遮断されるので、塗布する内容物の量を確実に定量にすることができる。
しかも、塗布時に、回転塗布体７９が、付勢体７２の付勢力に抗して係合体８２を貯留室５７側に押し込むものの、弁体７１によりステム２２内と貯留室５７内との連通が遮断されていて、貯留室５７の内圧が変動することがないので、例えば貯留室５７内の内容物が保持空間７８内に意図せず大量に流出したりすること等を防ぐことが可能になり、定量の内容物を被塗布部Ａに塗布することができる。
【００４１】
本実施形態では、貯留室５７の内面に第２連通孔７７ａが形成されているとともに、貯留室５７には弁体７１、付勢体７２、および係合体８２と一体に形成された調節体７３が配設されている。このため、回転塗布体７９を介して係合体８２を貯留室５７側に押し込むこと等により、保持部７７の底壁の下面における第２連通孔７７ａの開口周縁部と調節体７３とを当接させたり離反させたりすることができる。これにより、貯留室５７内から第２連通孔７７ａを通して保持空間７８内に至る内容物の流量を調節することが可能になり、内容物が保持空間７８内に大量に流出するのをより確実に抑制することができる。
【００４２】
（第２実施形態）
次に、本発明の第２実施形態について図５から図９を参照しながら説明するが、前記実施形態と同一の部位には同一の符号を付してその説明は省略し、異なる点についてのみ説明する。
図５に示すように、本実施形態の塗布容器２は、第１実施形態の塗布容器１の容器本体１１、吐出器２１、液溜部５６、外殻筒８６、およびキャップ体１０１に代えて、容器本体１１１、吐出器１４１、液溜部１４６、およびオーバーキャップ１５６を備えている。
なお、オーバーキャップ１５６は、保持部７７および回転塗布体７９を覆った状態で、容器本体１１１の口部１１２に着脱可能に装着されている。
【００４３】
容器本体１１１は、容器体１１４と、口部材１１５とを備える。
容器体１１４は、外容器１１７の内面に内容器１１８が剥離可能に積層されたデラミボトル（積層剥離型容器）である。内容器１１８は、内容物の減少に伴い減容変形（しぼみ変形）する可撓性に富む材料で形成されている。外容器１１７は、スクイズ変形可能（弾性変形可能）に形成されている。
【００４４】
内容器１１８および外容器１１７は、例えば、ポリエチレンテレフタレート樹脂およびポリエチレンナフタレート樹脂等のポリエステル系樹脂、ポリエチレン樹脂およびポリプロピレン樹脂等のポリオレフィン系樹脂、ナイロン等のポリアミド系樹脂、または、エチレンビニルアルコール共重合樹脂等を用い、内容器１１８と外容器１１７とが剥離可能（相溶性が低い）となる組み合わせで形成することができる。
【００４５】
この容器体１１４は、容器口部１２０、容器胴部１２１、および容器底部１２２が、上方から下方に向けてこの順に連設されている。
容器口部１２０および容器胴部１２１は、円筒状に形成されている。容器口部１２０の外径は、容器胴部１２１の外径よりも小さい。容器口部１２０の外周面には、径方向外側に突出する係合部１２４が容器口部１２０の全周にわたり形成されている。容器底部１２２は、容器胴部１２１に連設され、容器胴部１２１の下端開口部を閉塞している。
容器底部１２２は、外周部に位置する接地部１２６と、接地部１２６に径方向内側から連なり、上方に窪む陥没凹部１２７と、陥没凹部１２７内に配置された保持リブ１２８（底シール部）と、を有している。
【００４６】
接地部１２６は、ステム軸Ｏと同軸に配置され、環状に形成されている。
保持リブ１２８は、容器底部１２２のパーティングラインに沿って直線状に延びるとともに、下方を向く突条状に形成されている。保持リブ１２８は、詳細には図示しないが内容器１１８と外容器１１７とを重ね合わせて圧着して突条状に形成されている。容器底部１２２には、外容器１１７と内容器１１８との間に外気を吸入させる、図示しない吸気孔が形成されている。
【００４７】
口部材１１５は、筒状を呈しステム軸Ｏと同軸に配設された口部本体１３１と、口部本体１３１の内周面から径方向内側に突出する環板部１３２と、を備えている。
環板部１３２は、口部本体１３１の上下方向における中間部に配置されている。口部本体１３１の下部は、容器体１１４の容器口部１２０に外装される。口部本体１３１の外周面には、雄ねじが形成されている。
口部本体１３１の上端開口縁には、径方向内側に突出した第１抜け止め部１３１ａが形成されている。第１抜け止め部１３１ａは、口部本体１３１の全周にわたり形成されている。口部本体１３１の下端部の内周面には、容器体１１４の係合部１２４に係合する係合溝１３５が口部本体１３１の全周にわたり形成されている。
口部材１１５の環板部１３２の内周縁と、シリンダ２３の取付けフランジ２７の内周縁と、は、下部受け体４１のフランジ４１ｂを上下方向に挟んでいる。容器体１１４の係合部１２４に口部材１１５の係合溝１３５が係合して容器体１１４に口部材１１５が装着されることで、容器体１１４にシリンダ２３および下部受け体４１が固定されている。
【００４８】
吐出器１４１は、前記吐出器２１の各構成に対して、上部受け体４０およびコイルバネ４２を備えていない。
【００４９】
液溜部１４６は、前記液溜部５６の各構成に対して、周壁部６２に上端部６２ａが形成されない。液溜部１４６の底壁部６３には、底壁部６３から下方に向けて延びる第２嵌合筒１５０が設けられている。第２嵌合筒１５０は、ステム軸Ｏと同軸に配置されるとともに、嵌合筒６４と案内筒６５との間に配置されている。周壁部６２の上端部には、径方向外側に向けて突出した第１係合部６２ｂが形成されている。第１係合部６２ｂは、周壁部６２の全周にわたり形成されている。案内筒６５の下端部には、径方向外側に向けて突出した第２抜け止め部６５ａが形成されている。第２抜け止め部６５ａは、案内筒６５の全周にわたり形成されている。第２抜け止め部６５ａは、第１抜け止め部１３１ａよりも下方に配置され、第１抜け止め部１３１ａに上下方向で対向する。
第２嵌合筒１５０と嵌合筒６４とで、ステム２２の上ステム３８における上端部を径方向に挟み込んでいる。こうして、ステム２２の上端部に液溜部１４６が装着されている。
案内筒６５は、口部本体１３１のうち環板部１３２よりも上方に位置する部分内に配置されている。
【００５０】
蓋板部１４８は、前記蓋板部６０の各構成に対して、大径壁部６８を備えていない。蓋板部１４８の外径は、液溜部１４６の外径と同等である。蓋板部１４８の外周縁部は、周壁部６２の上端開口縁にこの上端開口縁の上方から当接している。小径壁部６９は、液溜部１４６の周壁部６２内に嵌合されている。
【００５１】
オーバーキャップ１５６は、有頂筒状の外キャップ１５７と、外キャップ１５７内に配設された有頂筒状の内キャップ１５８と、を備えている。なお、オーバーキャップを１つの部材により構成してもよい。
外キャップ１５７は、円板状の外天壁部１６０と、外天壁部１６０の外周縁から下方に向けて延びる外周壁部１６１と、を備えている。外周壁部１６１、および内キャップ１５８の後述する内周壁部１６６は、下方から上方に向けて漸次、縮径する多段筒状に形成されている。外周壁部１６１は、下周壁１６２と上周壁１６３とが下方から上方に向けて連設されてなる。上周壁１６３の外径は、下周壁１６２の外径よりも小さい。
【００５２】
内キャップ１５８は、円板状の内天壁部１６５と、内天壁部１６５の外周縁から下方に向けて延びる内周壁部１６６と、を備える。
内周壁部１６６は、下周壁１６７と中周壁１６８と上周壁１６９とが下方から上方に向けて連設されてなる。中周壁１６８の外径は下周壁１６７の外径よりも小さく、上周壁１６９の外径は中周壁１６８の外径よりも小さい。下周壁１６７の内周面には、口部材１１５の雄ねじに螺合する雌ねじが形成されている。中周壁１６８の内周面には、径方向内側に突出した第２係合部（引き上げ係合部）１６８ａが形成されている。第２係合部１６８ａは、中周壁１６８の全周にわたり形成されている。中周壁１６８は、液溜部１４６の周壁部６２に、上下方向に移動可能に外装されている。
【００５３】
下周壁１６７と中周壁１６８とにより形成される段部は、外キャップ１５７の下周壁１６２と上周壁１６３とにより形成される段部よりも下方に配置されるとともに、口部本体１３１の上端開口縁に口部本体１３１の上方から当接する。第２係合部１６８ａは、液溜部１４６の第１係合部６２ｂよりも下方に配置され、第１係合部６２ｂに上下方向で対向する。
【００５４】
内天壁部１６５の下面には、下方に向けて突出するリング突条１７３が配設されている。リング突条１７３の外径は、回転塗布体７９の外径よりも小さい。リング突条１７３は、回転塗布体７９を下方に押圧している。
【００５５】
次に、以上のように構成された塗布容器２の作用について説明する。予め、容器体１１４、吸上筒３６、シリンダ２３、およびステム２２の内部は内容物で充填されていて、貯留室５７および保持空間７８の内部に内容物は無いものとする。
容器本体１１１に対してオーバーキャップ１５６をステム軸Ｏ回りに回転させ、口部材１１５の雄ねじとオーバーキャップ１５６の雌ねじとの螺合を解除すると、図６に示すように、容器本体１１１に対してオーバーキャップ１５６が上方に移動する。これにより、オーバーキャップ１５６のリング突条１７３による回転塗布体７９の押圧が解除される。
【００５６】
ここで、オーバーキャップ１５６が容器本体１１１に対して上方に移動する過程において、オーバーキャップ１５６の第２係合部１６８ａが液溜部１４６の第１係合部６２ｂに、第１係合部６２ｂの下方から係合することにより、保持部７７、液溜部１４６、およびステム２２が容器本体１１１およびシリンダ２３に対して一体に引き上げられる。
この際、下ステム３９の着座部３９ａの上面にピストン２４が着座し、シリンダ内空間Ｓ１とステム２２内との連通が遮断された状態で、ステム２２およびピストン２４がシリンダ２３内でシリンダ２３に対して上方に摺動し、シリンダ内空間Ｓ１の内容積が図５の状態に比べて大きくなる。これにより、容器体１１４の内容器１１８内の内容物が、吸上筒３６を通してシリンダ内空間Ｓ１内に流入する。このような内容器１１８内の内容物の減少に伴い内容器１１８が減容変形することで、内容器１１８が外容器１１７から剥離し、吸気孔を通して外容器１１７と内容器１１８との間に外気が吸入される。
口部材１１５の第１抜け止め部１３１ａに液溜部１４６の第２抜け止め部６５ａが第１抜け止め部１３１ａの下方から係合すると、容器本体１１１に対して保持部７７、液溜部１４６、およびステム２２が上方に移動するのが規制される。
【００５７】
その後、オーバーキャップ１５６をさらに引き上げ、オーバーキャップ１５６の第２係合部１６８ａを、液溜部１４６の第１係合部６２ｂを上方に乗り越えさせ、図７に示すように、容器本体１１１からオーバーキャップ１５６を取外す。
【００５８】
続いて、図８に示すように、回転塗布体７９の上端部が下方を向くように塗布容器２を傾けて、回転塗布体７９の上端部を被塗布部Ａに押し当てた状態で、図９に示すように、容器本体１１１を液溜部１４６および中栓部材７６に向けて押し込む。これにより、ステム２２およびピストン２４が、シリンダ内空間Ｓ１とステム２２内とを連通させた状態で、シリンダ２３の内側に向けて押し込まれ、シリンダ内空間Ｓ１の内容積が図８の状態に比べて小さくなる。このため、シリンダ内空間Ｓ１内の一定量の内容物は、下ステム３９の連通孔３９ｂから下ステム３９内に流入した後、上ステム３８内および第１連通孔６３ａを通して付勢体７２の付勢力に抗して弁体７１を作動させ、ステム２２内と貯留室５７内とを連通させる。これにより、シリンダ内空間Ｓ１内の内容物が、貯留室５７内に流入する。
付勢体７２の復元力により弁体７１が復帰し、ステム２２内と貯留室５７内との連通が遮断される。
【００５９】
塗布容器２を被塗布部Ａの表面に沿って移動させると、保持部７７内で回転塗布体７９が回転し、保持空間７８内の内容物が被塗布部Ａに塗布される。
貯留室５７および保持空間７８内の内容物が無くなるまで塗布することで、被塗布部Ａに定量の内容物が塗布される。
【００６０】
なお、繰り返して内容物を塗布する場合には、容器本体１１１の口部１１２にオーバーキャップ１５６を装着する。このとき、オーバーキャップ１５６の第２係合部１６８ａは、液溜部１４６の第１係合部６２ｂよりも下方に配置される。オーバーキャップ１５６を引き上げて容器本体１１１の口部１１２からオーバーキャップ１５６を離脱させる。さらに、容器本体１１１を液溜部１４６および保持部７７に向けて押し込むことで、貯留室５７内に一定量の内容物が流入する。
この状態で、回転塗布体７９の上端部を被塗布部Ａに押し当て、塗布容器２を被塗布部Ａの表面に沿って移動させることで内容物を塗布する。
【００６１】
以上説明したように、本実施形態の塗布容器２によれば、容器本体１１１に対して液溜部１４６および中栓部材７６を上方に引き上げ、シリンダ２３内に内容物を流入させる。その後、ステム２２およびピストン２４が、シリンダ２３の内側に向けて押し込まれるように、液溜部１４６および中栓部材７６に向けて容器本体１１１を押し込むと、シリンダ２３内の一定量の内容物が、ステム２２内を通して貯留室５７内に流入することで、付勢体７２の付勢力に抗して弁体７１を作動させ、ステム２２内と貯留室５７内とを連通させ、貯留室５７に貯留される。
これ以降は第１実施形態と同様の作用により、定量の内容物を被塗布部Ａに塗布することができる。
【００６２】
なお、本実施形態ではオーバーキャップ１５６を容器本体１１１の口部１１２から離脱するときにオーバーキャップ１５６の第２係合部１６８ａが液溜部１４６に係合するとしたが、第２係合部１６８ａが保持部７７に係合するとしてもよい。
【００６３】
以上、本発明の第１実施形態及び第２実施形態について図面を参照して詳述したが、具体的な構成はこの実施形態に限られるものではなく、本発明の要旨を逸脱しない範囲の構成の変更、組み合わせ、削除等も含まれる。さらに、各実施形態で示した構成のそれぞれを適宜組み合わせて利用できることは、言うまでもない。
例えば、前記第１実施形態及び第２実施形態では、吐出器２１として、いわゆるポンプ式の構成を示したが、吐出器の構成はこれに限定されない。例えば、吐出器が、内容物が容器本体内に加圧ガスとともに充填され、ステムを押し下げることで、内容物がステムを通して噴出する、いわゆる定量吐出機構付きエアゾール式の吐出器であってもよい。また、容器本体内に内容物の減少に伴い上下摺動する中皿が配設された構成を採用してもよい。
【符号の説明】
【００６４】
１、２  塗布容器
１１、１１１  容器本体
１２、１１２  口部
２１、１４１  吐出器
２２  ステム
２３  シリンダ
２４  ピストン
５６、１４６  液溜部
５７  貯留室
７１  弁体
７２  付勢体
７３  調節体
７６  中栓部材
７７  保持部
７７ａ  第２連通孔（連通孔）
７８  保持空間
７９  回転塗布体
８２  係合体
Ｏ    ステム軸
【図１】
2018090261.tif 000003
【図２】
2018090261.tif 000004
【図３】
2018090261.tif 000005
【図４】
2018090261.tif 000006
【図５】
2018090261.tif 000007
【図６】
2018090261.tif 000008
【図７】
2018090261.tif 000009
【図８】
2018090261.tif 000010
【図９】
2018090261.tif 000011